(57)【要約】  【課題】  床置き型の空気調和機等の吹出部において水平方向に配した風向変更羽根の角度を確実に保持する構造を有する送風装置を提供するものである。  【解決手段】  水平に配した複数の風向変更羽根の連結桟１３と支持部材１４をそれぞれ単品部品化すると共に、接触部を複数有することによって、冷暖房の熱変形による羽根操作力変化を防止する。また万一、摩耗により保持構造が破損しても、容易に交換できるため、安価な部品を供給することができるものである。【選択図】  図２ 
2005061734.tif 000002
【特許請求の範囲】
【請求項１】
少なくとも吹き出し部に配置されて、送風の風向を偏向する複数の風向偏向羽根を有する送風装置であって、前記風向偏向羽根は少なくとも一端部側において連結桟により回動自在に支持されているとともに、この連結桟に設けた第1の係合部と係合して前記風向偏向羽根の角度を段階的に規制する第2の係合部を設けた係合部材を、前記吹き出し部を構成する枠体に着脱可能に固定して設けたことを特徴とする送風装置。
【請求項２】
枠体は、係合部材を収納固定する嵌合溝部を有し、前記係合部材は第2の係合部を除いて前記嵌合溝部に埋設されるように構成したことを特徴とする請求項1記載の送風装置。
【請求項３】
係合部材は、第２の係合部と嵌合固定部とからなり、この嵌合固定部は送風路側に滑らかな曲面をもって構成されていることを特徴とする請求項１記載の送風装置。
【発明の詳細な説明】
【技術分野】
【０００１】
本発明は、送風の空気吹き出し口に具備される風向変更羽根の角度調整構造に特徴を有する送風装置に係るものである。
【背景技術】
【０００２】
従来の縦長の箱形の筐体を有する床置き型空気調和機に用いられている吹き出し部の構成について、図３〜５を用いて説明する。
【０００３】
同図において、１は空気調和機本体で、前面下部に設けられた吸込口２、前面上部に設けられた吹出パネル３、背面を形成するリアパネル４、前面のフロントパネル５、等で構成されている。６はリアパネル４の下部に取り付けられたケーシングで、このケーシング６の内部に一端がリアパネル４で支持されたモータ７が収納されると共に、モータ７の他端、軸の先端にはファン８が装着されている。６ａは吸込口２に対向するケーシング吸込口、６ｂは本体内上部に向かって開口するケーシング吹出口、９はケーシング６の上方にリアパネル４側に傾斜して配設された熱交換器である。
【０００４】
吹出パネル３において、１１は吹出パネル３の幅方向ほぼ全幅に設けられた吹出風の上下方向に風向を変更する上下風向変更羽根、１２は吹出パネル３の縦方向ほぼ全長に設けられた左右方向に風向を変更する左右風向変更羽根である。
【０００５】
また、図４、図５は前記吹出パネル３の要部図であり。１３は複数の上下風向変更羽根１１の端部を連結させる連結桟でありる、１枚の上下風向変更羽根１１を上下に稼働させると複数枚の上下風向変更羽根１１が同時に動く。図５において連結桟１３には円弧状の一部に凹形状１３ａを設けている。吹出パネル３の側面に連結桟１３の円弧状に相対する箇所の突起部３ａが配設してある。前記連結桟１３の凹形状１３ａに吹出パネル３の突起部３ａが噛み合い上下風向変更羽根１１を指定角度で支持する。
【０００６】
また他の考案では、吹出パネル３に係合片を一体に設け、ここに上下風向変更羽根１１の左右端に構成したシャフト１１ａに設けたストッパ片（図示せず）と係合する凹み部を形成して上下風向変更羽根１１の傾斜角度をユーザの所望の角度に固定しようとするものが開示されている（特許文献１）。
【特許文献１】実開昭６４−２８７４０号公報（図２など）
【発明の開示】
【発明が解決しようとする課題】
【０００７】
しかしながら、上記従来の構成では、吹き出し口を構成する枠体と一体に吹出パネル３の側面の突起部を構成しようとすると成型金型が複雑になるとともに、加工工数も増大する可能性が高い。
【０００８】
また上下風向変更羽根１１の角度変更を頻繁に行った場合や、長期に渡って使用している場合など、前記吹出パネル３の側面の突起部が摩耗したり、場合によっては突起部が破損したりして上下風向変更羽根１１の角度維持が困難となった場合、吹出パネル３本体を交換することが必要となり、修繕に相当の費用がかかる可能性があるという課題を有していた。
【０００９】
本発明はこのような従来の課題を解決するものであり、複数の上下風向変更羽根の端部
を連結させる連結桟と係合して風向偏向羽根の角度調整のように供する部分の摩耗・破損の場合にも高額の修繕コストをかけることなく構成された送風装置を提供することを目的とするものである。
【課題を解決するための手段】
【００１０】
上記課題を解決するために本発明は、吹出パネルの突起を別部品（支持部材）とし連結桟との接触部を多数面有するとするものである。
【００１１】
上記支持部材によって、安価な吹出パネルが作製できる又消耗部品交換時も安価に供給することができる。
【発明の効果】
【００１２】
上記から明らかなように、本発明は、上下変更羽根の操作力に関係する部品を単品部品にすると共に接触部位を複数有するもので、この構成によれば冷暖房の熱変形による羽根操作力変化を防止すると共に、安価な金型及び低単価な部品を供給するという効果を奏する。
【発明を実施するための最良の形態】
【００１３】
以下本発明の実施の形態について図面を参照して説明する。
【００１４】
（実施の形態１）
図１は本発明の実施の形態１における、床置形空気調和機の要部構成図である。
図において、３は吹出パネルであり熱交換器を通過した風は、縦方向ほぼ全長に設けられた左右方向に風向を変更する左右風向変更羽根１２で左右方向の風方向が決まり、又吹出パネル３の横方向ほぼ全長に設けられた複数の上下風向変更羽根１１で上下方向の風方向は決まり室内に風が吹き出される。前記上下風向変更羽根１１の両端には複数の連結桟１３で連結されている。支持部材１４は吹出パネル３の両側面に配設された穴３ａに樹脂の弾性を利用して挿入され吹出パネル３と一体形状を呈している。また前記連結桟１３には円弧状の一部に凹形状１３ａを設けている。支持部材１４には連結桟１３の円弧状に相対する箇所の凸突起１４ａが配設してある。前記連結桟１３の凹形状１３ａに支持部材１４の凸突起１４ａが噛み合い上下風向変更羽根１１を指定角度で支持する。
【００１５】
上記構成の様に消耗品である連結桟１３と支持部材１４を単品部品化することで、サービス等で部品交換の必要な状態が発生しても、大きな部品である吹出パネル３の交換ではなく、小物部品である支持部材１４の交換で対応でき安価なサービスを提供することができる。
【００１６】
（実施の形態２）
図２は、本発明の実施の形態２における吹き出パネルの構造図である。連結桟１３の一部に凹形状１３ａと平面を呈している両面に凸形状１３ｂが設けてある。また支持部材１４には、連結桟１３の凹形状１３ａと噛み合う突起１４ｂと連結桟１３の両面に凸形状１３ｂと接触する凸形状１４ｃ、１４ｄを設けている。このように支持部材１４の三面に連結桟１３の移動を保持する機構を有する事により、上下風向変更羽根１１が冷暖房の熱影響により長さの変化が発生した場合や、接触部に関連する部位が熱変形しても連結桟１３と支持部材１４が接触する部位を複数有する為、部品寸法や組立のバラツキが発生しても複数面のいずれかで上下風向変更羽根１１の角度保持が可能でありバラツキの無い上下羽根の操作力が得られる。
【図面の簡単な説明】
【００１７】
【図１】本発明の第１の実施形態を示す構成分解の斜視図
【図２】本発明の第２の実施形態を示す要部構成分解の斜視図
【図３】従来の床置形空調機の断面図
【図４】従来の吹出パネルの構成分解の斜視図
【図５】従来の吹出パネルの要部構成分解の斜視図
【符号の説明】
【００１８】
１  本体
２  吸込口
３  吹出パネル
４  リアパネル
５  フロントパネル
６  ケーシング
８  ファン（送風機）
９  熱交換器
１１  偏向ガイド
１２  上下風向変更板
１３  左右風向変更板
１４  連結桟
【図１】
2005061734.tif 000003
【図２】
2005061734.tif 000004
【図３】
2005061734.tif 000005
【図４】
2005061734.tif 000006
【図５】
2005061734.tif 000007